(57)【特許請求の範囲】
【請求項１】
上面が開口していて、内部に液体を注入することができる不透明の第１及び第２の容器と、
前記容器の上面に着脱自在に載置され、前記容器の上面を閉塞する、剛性かつ親水性の素材からなる、厚みが０．０５ｍｍ以上０．３ｍｍ以下の薄片状の透明の雲母で形成されている蓋とを備え、
該第１及び第２の容器の上面並びに平面視における該蓋の形状が、同一の形状で形成されており、
前記容器の上面縁部まで液体が注入された状態で、該蓋を前記容器の上面に載置した後、前記容器を上下反転したとしても、前記容器の内部に注入された液体が外部に漏出しないことを特徴とする手品具。
【請求項２】
該第１及び／又は第２の容器の上半部側の周面の一部が凹弧状に形成されていることを特徴とする請求項１に記載の手品具。
【発明の詳細な説明】
【技術分野】
【０００１】
本発明は、２つの容器及び蓋を使用した手品具に関し、より詳しくは、蓋を用いて、容器に注入した液体を外部に漏出しないようにすることで、液体が一方の容器から他方の容器に移動したかのような錯覚を観覧者に与えることのできる手品具に関する。
【背景技術】
【０００２】
本発明に関連する先行技術として、容器に注いだ水を外部に漏出させないようにした手品具が開示されている（非特許文献１参照）。
【０００３】
この非特許文献１に記載の手品具は、１つのコップと１枚の白い矩形状からなる紙（蓋）とを備え、水を該コップの上面開口部の縁まで注いだ状態で、該紙を該コップの上面に被せた後、該紙を手で押さえながら、ゆっくりと該コップを上下に反転させると、大気圧と表面張力の作用により、該コップに注がれた水が、該コップの外部に漏出しないようになっている。
【先行技術文献】
【非特許文献】
【０００４】
【非特許文献１】自然大好きサイト  自然たちよ  手品をしよう〔平成２６年１１月２６日検索〕、インターネット＜URL: http://nature.yokowake.com/yu/tejina/＞
【発明の概要】
【発明が解決しようとする課題】
【０００５】
しかし、非特許文献１に記載されている手品具は、該紙を手で押さえながら、ゆっくりと該コップを上下に反転させることで、該コップに注がれた水を該コップの外部に漏出しないようにしていることから、手品としての迫力に欠けるという問題がある。
【０００６】
また、非特許文献１に記載されている手品具では、１つのコップ（容器）のみを使用するものであることから、該コップに注がれたが水（液体）を、他のコップ（容器）に移動させたかのような錯覚を観覧者に与えることができず、迫力のある手品を提供することができないという問題もある。
【０００７】
そこで、本発明は、上記点に鑑みてなされたものであり、２つの容器及び蓋を使用して、容器に注入した液体を外部に漏出しないようにすることで、液体が一方の容器から他方の容器に移動したかのような錯覚を観覧者に与えることのできる手品具を提供することを目的とするものである。
【課題を解決するための手段】
【０００８】
請求項１の発明に係る手品具は、上面が開口していて、内部に液体を注入することができる不透明の第１及び第２の容器と、前記容器の上面に着脱自在に載置され、前記容器の上面を閉塞する、剛性かつ親水性の素材からなる、厚みが０．０５ｍｍ以上０．３ｍｍ以下の薄片状の透明の雲母で形成されている蓋とを備え、該第１及び第２の容器の上面並びに平面視における該蓋の形状が、同一の形状で形成されており、前記容器の上面縁部まで液体が注入された状態で、該蓋を前記容器の上面に載置した後、前記容器を上下反転したとしても、前記容器の内部に注入された液体が外部に漏出しないことを特徴とする。
【０００９】
請求項２の発明に係る手品具は、請求項１に記載の発明に係る手品具において、該第１及び／又は第２の容器の上半部側の周面の一部が凹弧状に形成されていることを特徴とする。
【発明の効果】
【００１２】
請求項１に記載の発明は、第１及び第２の容器の上面を閉塞する蓋が、剛性かつ親水性の素材からなる、厚みが０．０５ｍｍ以上０．３ｍｍ以下の薄片状の透明の雲母で形成されていることから、第１及び第２の容器の上面縁部まで液体が注入された状態で、蓋を前記容器の上面に載置するだけで、確実に前記容器の内部に注入された液体を外部に漏出させないようにすることができる。これにより、本発明では、蓋を手で押さえることなく、前記容器を上下反転したとしても、前記容器の内部に注入された液体が外部に漏出することはないことから、観覧者に容器の中身が空であると見せかけることができ、恰も、液体が一方の容器から他方の容器に移動したかのような錯覚を観覧者に与えることができるのである。また、本発明における蓋は、厚み０．０５ｍｍ以上０．３ｍｍ以下の薄片状に形成されており、全体が透明で、平面視における形状が第１及び第２の容器の上面と同一の形状で形成されていることから、前記容器の上面に蓋を載置したことを、観覧者に気付かれないようにすることができる。すなわち、本発明を用いれば、実演者は、手品の仕組み（いわゆる手品のネタ）を観覧者に気付かれることなく、手品の実演を行うことができる。
【００１３】
請求項２に記載の発明は、第１及び／又は第２の容器の上半部側の周面の一部が凹弧状に形成されていることから、手品の実演を行う者（以下、「実演者」という。）は、手品を実演する際、係る凹弧状に形成されている部位を把持することで、確実に、第１及び／又は第２の容器を上下に反転させることができる。これにより、本発明を用いれば、手品の実演をスムーズに進行させることができる。
【図面の簡単な説明】
【００１６】
【図１】本発明の実施例１に係る手品具の全体図である。
【図２】本発明の実施例１に係る手品具の第１及び第２の容器の斜視図である。
【図３】本発明の実施例１に係る手品具の蓋の平面図である。
【図４】本発明の実施例１に係る手品具の蓋の側面図である。
【図５】本発明の実施例１に係る手品具を用いた実演手順を示すフローチャートである。
【図６】本発明の実施例１に係る手品具の第１及び第２の容器の上面縁部まで液体を注入した状態を表す断面図である。
【図７】本発明の実施例１に係る手品具の第１及び第２の容器の上面に蓋を載置した状態を表す斜視図である。
【図８】本発明の実施例１に係る手品具の第１及び第２の容器を上下反転した状態を表す上面付近拡大断面図である。
【図９】本発明の実施例１に係る手品具の第１及び第２の容器の変形例を表す斜視図である。
【図１０】本発明の実施例１に係る手品具の第１及び第２の容器の変形例を表す斜視図である。
【図１１】本発明の実施例１に係る手品具の第１及び第２の容器の変形例を表す斜視図である。
【図１２】本発明の実施例１に係る手品具の第１及び第２の容器の変形例を表す斜視図である。
【発明を実施するための形態】
【００１７】
以下、図面を用いて本発明の詳細を説明する。
【実施例１】
【００１８】
まず、図１乃至図４を用いて、本発明の実施例１に係る手品具１００の形態について説明する。
【００１９】
図１は本発明の実施例１に係る手品具の全体図であり、図２は本発明の実施例１に係る手品具の第１及び第２の容器の斜視図である。図３は本発明の実施例１に係る手品具の蓋の平面図であり、図４は本発明の実施例１に係る手品具の蓋の側面図を表す。
【００２０】
図１に示すように、手品具１００は、第１の容器１０、第２の容器２０及び蓋３０を備える。
【００２１】
［第１の容器１０］
図１及び図２に示すように、第１の容器１０は、全体が、不透明の縦長円筒状からなる容器であり、上半部側の周面の一部が凹弧状に形成されている（凹弧部１３）。すなわち、第１の容器１０は、略中央にテーパーがつけられており、上半部の外径が下半部の外径よりも小さくなるよう形成されている。また、第１の容器１０は、上面１１が開口するよう形成されており、内部に液体（例えば水や酒）を注入することができるようになっている。なお、上面１１は、平面視円形にて形成される。
【００２２】
第１の容器１０の寸法は、概ね、縦幅１２ｃｍ、上半部の横幅（外径）２．３ｃｍ、下半部の横幅（外径）６．２ｃｍ、上面１１の外径２．３ｃｍに形成される。なお、第１の容器１０には、例えば、陶製、金属製、ガラス製、木製又は紙製の容器を用いることができる。
【００２３】
［第２の容器２０］
図１及び図２に示すように、第２の容器２０の形状及び寸法等は、第１の容器１０と同様であることから、ここでは説明を省略する。
【００２４】
［蓋３０］
図３及び図４に示すように、蓋３０は、側面視薄片状にて形成されており、平面から見たときには、第１の容器１０及び第２の容器２０の上面１１、１２の形状と同形状に形成される。すなわち、蓋３０は、平面視円形にて形成される。また、蓋３０は、全体が透明で、剛性かつ親水性の素材で形成される。例えば、蓋３０を雲母にて形成するとよい。
【００２５】
蓋３０の寸法は、概ね、外径２．３ｃｍ、厚みは０．１ｍｍに形成される。
【００２６】
次に、図５乃至図８を用いて、手品具１００の使用方法について説明する。
【００２７】
図５は本発明の実施例１に係る手品具を用いた実演手順を示すフローチャートであり、図６は本発明の実施例１に係る手品具の第１及び第２の容器の上面縁部まで液体を注入した状態を表す断面図である。図７は本発明の実施例１に係る手品具の第１及び第２の容器の上面に蓋を載置した状態を表す斜視図であり、図８は本発明の実施例１に係る手品具の第１及び第２の容器を上下反転した状態を表す上面付近拡大断面図を表す。
【００２８】
図５に示すように、手品具１００は、実演者によって、以下の手順で使用される。
【００２９】
［手品の実演開始前の段階］
まず、実演者は、ステップＳ１において、第１の容器１０の上面縁部１２まで液体Ａを注入する。なお、このとき、上面縁部１２付近の液体Ａは、表面張力の作用により、上面縁部１２の上方に盛り上がった状態となっている（図６参照）。
【００３０】
次に、実演者は、ステップＳ２において、蓋３０を第１の容器１０の上面１１に載置する。（図７参照）。このとき、平面視における蓋３０の形状と第１の容器１０の上面１１の形状は、上記のとおり、同形状にて形成されていることから、第１の容器１０の上面１１は、蓋３０によって閉塞されることになる。
【００３１】
また、蓋３０を第１の容器１０の上面１１に載置した場合には、蓋３０は、蓋３０の縁部と第１の容器１０の上面縁部１２との間に介在する液体Ａの表面張力によって、第１の容器１０の上面縁部１２と密着する格好となることから、第１の容器１０は、蓋３０によって、密閉状態になる（図７参照）。
【００３２】
このことを具体的に説明すると、上記のとおり、第１の容器１０の上面縁部１２付近の液体Ａは、表面張力の作用により、上面縁部１２の上方に盛り上がった状態となることから（図６参照）、この状態で、蓋３０を第１の容器１０の上面１１に載置すると、蓋３０の縁部と第１の容器１０の上面縁部１２との間には、液体Ａが介在することになる（図７参照）。このため、蓋３０は、親水性の素材で形成されることから、係る液体Ａの表面張力の作用によって、第１の容器１０の上面縁部１２方向へ引っ張られる格好となる。また、蓋３０は、剛性の素材で形成されることから、係る表面張力の作用を受けたとしても、蓋３０自体の形状が変形することはない。したがって、第１の容器１０の上面縁部１２まで液体Ａが注入された状態で蓋３０を上面１１に載置すれば、蓋３０は、その形状を変えることなく、係る表面張力の作用によって、第１の容器１０の上面縁部１２と密着することから、第１の容器１０は、蓋３０によって、密閉される。
【００３３】
［手品の実演開始後の段階］
ステップＳ２が終了した段階で、実演者は、手品の実演を開始する（ステップＳ３）。このとき、実演者は、テーブルに第１の容器１０（上面１１に蓋３０が載置された状態）及び第２の容器２０を横並びに配置し、観覧者に、「現在、第１の容器１０及び第２の容器２０には、液体が注入されていないこと」、「これから、第２の容器２０に液体を注入すること」及び「第２の容器２０に注入した液体を、第１の容器１０に移動させること」を告げて、手品の実演を開始する。
【００３４】
ステップＳ４において、実演者は、まず、第１の容器１０に液体が注入されていないことを観覧者に示すべく、第１の容器１０を上下反転する（上面１１を下に向けるようにする）。なお、このとき、第１の容器１０には、実際に液体Ａが注入されているが（ステップＳ１）、上記のとおり、ステップＳ２において、第１の容器１０は、蓋３０によって、密閉されていることから、第１の容器１０の内部に注入された液体Ａが外部に漏出することはない。
【００３５】
このことを具体的に説明すると、図８に示すように、第１の容器１０の上面１１に載置された蓋３０は、蓋３０の縁部と第１の容器１０の上面縁部１２との間に介在する液体Ａの表面張力Ｂの作用によって、第１の容器１０の上面縁部１２に密着するとともに、大気圧Ｃが下から蓋３０を支えていることから、液体Ａにかかる重力Ｄは、これらの力によって支えられることになる。よって、この状態で、第１の容器１０を上下反転したとしても、第１の容器１０が蓋３０によって、密閉されている状態は維持されることから、第１の容器１０の内部に注入された液体Ａが外部に漏出することはないのである（表面張力Ｂ＋大気圧Ｃ＞重力Ｄ）。
【００３６】
なお、蓋３０は、側面視において薄片状に形成されており、全体が透明で、平面視における形状が第１の容器１０の上面１１の形状と同形状にて形成されていることから、蓋３０を第１の容器１０の上面１１に載置したとしても、このことを観覧者に気付かれることはない。また、上記のとおり、第１の容器１０の上面１１に蓋３０を載置した状態で、第１の容器１０を上下反転したとしても、第１の容器１０が蓋３０によって、密閉されている状態は維持されることから（すなわち、第１の容器１０の内部に注入された液体Ａは、外部に漏出しない）、実演者は、蓋３０を手で押さえることなく、自然に第１の容器１０を上下反転することができ（このとき、実演者は、凹弧部１３を把持すれば、スムーズに第１の容器１０を上下反転することができる）、観覧者に、自然なかたちで第１の容器１０の中身が空であると見せかけることができる（第１の容器１０は、不透明であることから、観覧者は、第１の容器１０の内部に液体Ａが注入されているとは思わない）。
【００３７】
次に、ステップＳ５において、実演者は、第２の容器２０に液体が注入されていないことを観覧者に示すべく、第２の容器２０を上下反転する（上面２１を下に向けるようにする）。なお、この段階で、第２の容器２０には、まだ液体Ａは注入されていない（実際に中身が空の状態）。
【００３８】
ステップＳ６において、実演者は、観覧者に対し、「これから、第２の容器２０に液体Ａを注入すること」を宣言し、第２の容器２０の上面縁部２２まで液体Ａを注入する。なお、このとき、上面縁部２２付近の液体Ａは、表面張力の作用により、上面縁部２２の上方に盛り上がった状態となっている（図６参照）。
【００３９】
ステップＳ７において、実演者は、第１の容器１０を持ち上げながら、観覧者に対し、「第１の容器１０は、現時点において中身が空である」ことを告げて、第１の容器１０をテーブルの上に置く。そして、実演者は、第１の容器１０を手離す際に、さりげなく、蓋３０を第１の容器１０の上面１１から取り外すようにする（実演者は、蓋３０を把持した状態で次のステップに進む）。このとき、蓋３０は、側面視において薄片状に形成されており、全体が透明であることから、観覧者に蓋３０を第１の容器１０の上面１１から取り外したことを気付かれることはない。なお、実演者は、このステップにおいて、第１の容器１０の凹弧部１３を把持すれば、スムーズに一連の動作を行うことができる。
【００４０】
ステップＳ８において、実演者は、第２の容器２０を把持し、これを持ち上げながら、観覧者に対し、「第２の容器２０には、現時点において、液体Ａが注入されている」ことを告げて、第２の容器２０をテーブルの上に置く。なお、第２の容器２０を把持する際、実演者は、ステップＳ７において第１の容器１０の上面１１から取り外した蓋３０を、さりげなく、第２の容器２０の上面２１に載置するようにする（蓋３０は、第１の容器１０及び第２の容器２０の上面１１、２１に着脱自在に載置される）。このとき、蓋３０は、側面視において薄片状に形成されており、全体が透明であることから、観覧者に蓋３０を第２の容器２０の上面２１に載置したことを気付かれることはない。なお、実演者は、このステップにおいて、第２の容器２０の凹弧部２３を把持すれば、スムーズに一連の動作を行うことができる。
【００４１】
このとき、蓋３０は、第１の容器１０の上面１１に載置したときと同様に、蓋３０の縁部と第２の容器２０の上面縁部２２との間に介在する液体Ａの表面張力によって、第２の容器２０の上面縁部２２と密着する格好となることから、第２の容器２０は、蓋３０によって、密閉されることになる（図７参照）。
【００４２】
ステップＳ９において、実演者は、観覧者に対し、「これらか、第２の容器２０に注入した液体Ａを、第１の容器１０に移動させること」を告げて、第２の容器２０を、再び、上下反転する。このとき、第２の容器２０は、第１の容器１０の上面１１に蓋３０を載置したときと同様に、蓋３０によって、密閉されていることから、この状態で、第２の容器２０を上下反転したとしても、液体Ａにかかる重力Ｄは、表面張力Ｂ及び大気圧Ｃによって支えられることから、第２の容器２０の内部に注入された液体Ａが外部に漏出することはない（表面張力Ｂ＋大気圧Ｃ＞重力Ｄ  図８参照）。
【００４３】
このようにすることで、第２の容器２０の上面２１に蓋３０を載置した状態で、第２の容器２０を上下反転したとしても、第２の容器２０が蓋３０によって、密閉されている状態は維持されることから（すなわち、第２の容器２０の内部に注入された液体Ａは、外部に漏出しない）、実演者は、蓋３０を手で押さえることなく、自然に第２の容器２０を上下反転することができ（このとき、実演者は、凹弧部２３を把持すれば、スムーズに第２の容器２０を上下反転することができる）、観覧者に、自然なかたちで第２の容器２０の中身が空であると見せかけることができる（第２の容器２０は、不透明であることから、観覧者は、第２の容器２０の内部に液体Ａが注入されているとは思わない）。すなわち、第２の容器２０に注入した液体Ａが、どこかへ移動したかのような錯覚を、観覧者に与えることができる。
【００４４】
最後に、実演者は、ステップＳ１０において、第１の容器１０を上下反転し、ステップＳ１において注入していた内部の液体Ａを外部に流すようにする。こうすることで、ステップＳ４の段階で、予め、観覧者に対し、第１の容器１０の中身が空であるかのよう錯覚を与えていたことから、観覧者は、ステップＳ６において第２の容器２０に注入された液体Ａが、恰も、第１の容器１０に移動したかのような錯覚を覚えることになる。
【００４５】
このように、本発明を用いれば、第１の容器１０及び第２の容器２０の上面１１、２１に蓋３０を載置するだけで、これらの容器を上下反転した場合でも、内部に注入された液体Ａを外部に漏出させないようにすることができることから、観覧者に対し、容器の中身が空であると見せかけることができ、恰も、液体Ａが一方の容器から他方の容器に移動したかのような錯覚を与えることができるのである（迫力のある手品を提供することができる）。
【００４６】
なお、本実施例では、第１の容器１０及び第２の容器２０の周面の一部に凹弧部１３、２３を形成するものとしているが（第１の容器１０及び第２の容器２０の略中央にテーパーをつけ、これらの容器の上半部の外径が下半部の外径よりも小さくなるよう形成する）、全体が不透明で、内部に液体を注入することができるのであれば（上面が開口している）、これらの容器を、例えば、以下のような形状に変更することもできる（図９乃至図１２参照）。
【００４７】
図９乃至図１２は、本発明の実施例１に係る手品具の第１及び第２の容器の変形例を表す斜視図である。
【００４８】
図９に示す第１の容器４０及び第２の容器５０は、その中央が内部側にくびれてなり、上半部側の周面の一部が凹弧状となるよう形成されている（ひょうたん型に形成されている）。
【００４９】
図１０に示す第１の容器６０及び第２の容器７０は、上面近傍にテーパーをつけることで、容器の上面近傍の外径が下半部の外径よりも小さくなるよう形成されている（上半部側の周面の一部（上面近傍）が凹弧状となるよう形成されている）。
【００５０】
図１１に示す第１の容器８０及び第２の容器９０は、全体が縦長円筒状にて形成されており、容器の上半部の外径と下半部の外径が同一の大きさで形成されている（すなわち、本実施例のように、凹弧部１３、２３は形成されていない）。
【００５１】
図１２に示す第１の容器８１及び第２の容器９１は、全体が短円筒状にて形成されており、容器の上半部の外径と下半部の外径が同一の大きさで形成されている（すなわち、本実施例のように、凹弧部１３、２３は形成されていない）。
【００５２】
このように、本実施例では、全体が不透明で、内部に液体を注入することができるのであれば（上面が開口している）、第１の容器１０及び第２の容器２０を、上記のように変更することも可能である。なお、このとき、蓋３０の寸法（外径）を、これら容器の上面を閉塞できる大きさに形成することは勿論である。
【００５３】
また、本実施例では、第２の容器２０の形状を第１の容器１０の形状と同様にするものとしているが、蓋３０で、これらの容器の上面１１、２１を閉塞することができるのであれば、第１の容器１０と第２の容器２０の形状を異なる形状にすることもできる。例えば、第１の容器１０を図９に示すひょうたん型に形成し（第１の容器４０）、第２の容器２０を図１１に示す縦長円筒状にて形成（第２の容器９０）することもできる。
【００５４】
さらに、本実施例では、第１の容器１０と第２の容器２０の寸法を上記のようにしているが、実演者がこれらの容器を把持し、上下反転することができるのであれば、これらの容器の寸法は、上記寸法に限られるものではない。例えば、これらの容器を一回り、二回り程、大きく又は小さく形成することも可能である。なお、第１の容器１０の寸法と第２の容器２０の寸法を異なる寸法にて形成できることは勿論である。
【００５５】
また、本実施例では、第１の容器１０及び第２の容器２０の上面１１、２１の形状と蓋３０の平面視における形状を同形状にするものとしているが（平面視円形にて形成）、蓋３０で上面１１、２１を閉塞し、表面張力の作用によって、第１の容器１０及び第２の容器２０の上面縁部１２、２２と蓋３０が密着して、これら容器を密閉することができるのであれば、上面１１、２１の形状と蓋３０の平面視における形状を異なる形状にて形成することもできる。例えば、上面１１、２１の形状を六角形状とし、蓋３０の平面視における形状を円形状としてもよい。また、上面１１を円形状に、上面２１を六角形状に、蓋３０の平面視における形状を八角形状とすることもできる。
【００５６】
最後に、本実施例では、蓋３０の寸法を上記のようにしているが、蓋３０の寸法が第１の容器１０及び第２の容器２０の上面１１、２１の形状に合わせて、適宜変更されることは勿論である（蓋３０は、上面１１、２１を閉塞する必要があるため）。また、手品の実演開始後の段階（ステップＳ３〜ステップＳ１０の段階）において、観覧者に蓋３０の存在を気付かれないようにすることができるのであれば、蓋３０をさらに厚めに形成することもできる（例えば、蓋３０の厚みを概ね０．２ｍｍ〜０．３ｍｍにする）。なお、上面１１、２１を閉塞し、表面張力の作用によって、第１の容器１０及び第２の容器２０の上面縁部１２、２２と蓋３０が密着して、これら容器を密閉することができるのであれば、蓋３０をさらに薄く形成することができることは勿論である（例えば、厚みを概ね０．０５ｍｍにする）。
【００５７】
このように、本実施例では、本発明の趣旨を逸脱しない範囲で種々の変更が可能であることはいうまでもない。
【符号の説明】
【００５８】
１０    第１の容器
１１    上面
１２    上面縁部
１３    凹弧部
２０    第２の容器
２１    上面
２２    上面縁部
２３    凹弧部
３０    蓋
１００  手品具
Ａ      液体
Ｂ      表面張力
Ｃ      大気圧
Ｄ      重力
【要約】
【課題】２つの容器及び蓋を使用して、容器に注入した液体を外部に漏出しないようにすることで、液体が一方の容器から他方の容器に移動したかのような錯覚を観覧者に与えることのできる手品具を提供する。
【解決手段】手品具１００を、上面１１、２１が開口していて、内部に液体Ａを注入することができる不透明の第１及び第２の容器１０、２０と、前記容器の上面１１、２１に着脱自在に載置され、前記容器の上面１１、２１を閉塞する、剛性かつ親水性の素材からなる薄片状の透明の蓋３０とを備え、前記容器の上面縁部１２、２２まで液体Ａが注入された状態で、蓋３０を前記容器の上面１１、２１に載置した後、前記容器を上下反転したとしても、前記容器の内部に注入された液体Ａが外部に漏出しないことを特徴とする。
【選択図】図８【図１】
0005859104.tif 000002
【図２】
0005859104.tif 000003
【図３】
0005859104.tif 000004
【図４】
0005859104.tif 000005
【図５】
0005859104.tif 000006
【図６】
0005859104.tif 000007
【図７】
0005859104.tif 000008
【図８】
0005859104.tif 000009
【図９】
0005859104.tif 000010
【図１０】
0005859104.tif 000011
【図１１】
0005859104.tif 000012
【図１２】
0005859104.tif 000013